【手続補正書】
【提出日】平成29年2月27日(2017.2.27)
【手続補正１】
【補正対象書類名】明細書
【補正対象項目名】発明の名称
【補正方法】変更
【補正の内容】
【発明の名称】撮像装置、撮像システム、発光装置及び焦点検出方法
【手続補正２】
【補正対象書類名】明細書
【補正対象項目名】０００１
【補正方法】変更
【補正の内容】
【０００１】
本発明は、補助光を被写界側へ照射して被写体に対する焦点検出を行う撮像装置及び撮像システム、その撮像システムが有する発光装置、撮像システムにおける焦点検出方法に関する。
【手続補正３】
【補正対象書類名】明細書
【補正対象項目名】０００８
【補正方法】変更
【補正の内容】
【０００８】
本発明に係る撮像装置は、本体に対して照射方向が変更可能な第１の発光部と前記本体に対して照射方向が固定された第２の発光部とを有する発光装置の装着が可能な撮像装置であって、焦点検出手段と、前記第１の発光部の照射方向に関する情報を取得する取得手段と、前記取得手段により取得した前記照射方向に関する情報に基づいて、前記第１の発光部と前記第２の発光部のいずれか一方が前記焦点検出手段で焦点検出を行うときに補助光を照射させる発光部となるように制御する制御手段と、を有することを特徴とする。
【手続補正４】
【補正対象書類名】特許請求の範囲
【補正対象項目名】全文
【補正方法】変更
【補正の内容】
【特許請求の範囲】
【請求項１】
本体に対して照射方向が変更可能な第１の発光部と前記本体に対して照射方向が固定された第２の発光部とを有する発光装置の装着が可能な撮像装置であって、
焦点検出手段と、
前記第１の発光部の照射方向に関する情報を取得する取得手段と、
前記取得手段により取得した前記照射方向に関する情報に基づいて、前記第１の発光部と前記第２の発光部のいずれか一方が前記焦点検出手段で焦点検出を行うときに補助光を照射させる発光部となるように制御する制御手段と、を有することを特徴とする撮像装置。
【請求項２】
前記制御手段は、前記取得手段により取得した前記照射方向に関する情報が前記第１の発光部の照射方向が基準方向であることを示す場合、前記第１の発光部が前記補助光を照射させる発光部となるように制御することを特徴とする請求項１に記載の撮像装置。
【請求項３】
前記制御手段は、前記取得手段により取得した前記照射方向に関する情報が前記第１の発光部の照射方向が前記基準方向でないことを示す場合、前記第２の発光部が前記補助光を照射させる発光部となるように制御することを特徴とする請求項２に記載の撮像装置。
【請求項４】
前記制御手段は、前記取得手段により取得した前記照射方向に関する情報が前記第１の発光部の照射方向が基準方向を含む所定の範囲内であることを示す場合、前記第１の発光部が前記補助光を照射させる発光部となるように制御することを特徴とする請求項１に記載の撮像装置。
【請求項５】
前記制御手段は、前記取得手段により取得した前記照射方向に関する情報が前記第１の発光部の照射方向が前記所定の範囲内ではないことを示す場合、前記第２の発光部が前記補助光を照射させる発光部となるように制御することを特徴とする請求項４に記載の撮像装置。
【請求項６】
前記制御手段は、前記取得手段により取得した前記照射方向に関する情報が前記第１の発光部の照射方向が前記所定の範囲内であることを示す場合、前記第１の発光部を発光させる前に前記第１の発光部の照射方向を前記基準方向に変更させることを特徴とする請求項４又は５に記載の撮像装置。
【請求項７】
前記基準方向は、撮影光軸と平行な方向であることを特徴とする請求項２乃至６のいずれか１項に記載の撮像装置。
【請求項８】
前記取得手段は、前記発光装置から前記第１の発光部の照射方向に関する情報を取得することを特徴とする請求項１乃至７のいずれか１項に記載の撮像装置。
【請求項９】
撮像装置に装着可能な発光装置であって、
前記発光装置の本体に対して照射方向が変更可能な第１の発光部と、
前記本体に対して照射方向が固定された第２の発光部と、
前記第１の発光部の照射方向に応じて、前記第１の発光部と前記第２の発光部のいずれか一方が、装着された撮像装置で焦点検出を行うときに補助光を照射させる発光部となるように制御する制御手段と、を有することを特徴とする発光装置。
【請求項１０】
前記制御手段は、前記第１の発光部の照射方向が基準方向である場合、前記第１の発光部が前記補助光を照射させる発光部となるように制御することを特徴とする請求項９に記載の発光装置。
【請求項１１】
前記制御手段は、前記第１の発光部の照射方向が前記基準方向でない場合、前記第２の発光部が前記補助光を照射させる発光部となるように制御することを特徴とする請求項１０に記載の発光装置。
【請求項１２】
前記制御手段は、前記第１の発光部の照射方向が基準方向を含む所定の範囲内であるときは、前記第１の発光部が前記補助光を照射させる発光部となるように制御することを特徴とする請求項９に記載の発光装置。
【請求項１３】
前記制御手段は、前記第１の発光部の照射方向が前記所定の範囲内ではない場合、前記第２の発光部が前記補助光を照射させる発光部となるように制御することを特徴とする請求項１２に記載の発光装置。
【請求項１４】
前記第１の発光部の照射方向が前記所定の範囲内である場合、前記第１の発光部を発光させる前に前記第１の発光部の照射方向を前記基準方向に変更させる照射方向変更手段を有することを特徴とする請求項１２又は１３に記載の発光装置。
【請求項１５】
前記基準方向は、前記第２の発光部の照射方向と平行な方向であることを特徴とする請求項１０乃至１４のいずれか１項に記載の発光装置。
【請求項１６】
前記第１の発光部の照射方向に関する情報を検出する検出手段を有し、
前記制御手段は、前記検出手段の検出結果に応じて、前記第１の発光部と前記第２の発光部のいずれか一方が、装着された撮像装置で焦点検出を行うときに補助光を照射させる発光部となるように制御することを特徴とする請求項９乃至１５のいずれか１項に記載の発光装置。
【請求項１７】
前記第２の発光部は、所定のパターンの光を照射することを特徴とする請求項９乃至１６のいずれか１項に記載の発光装置。
【請求項１８】
前記第２の発光部は、前記第１の発光部よりも照射範囲が狭いことを特徴とする請求項９乃至１７のいずれか１項に記載の発光装置。
【請求項１９】
焦点検出手段と、
本体に対して照射方向が変更可能な第１の発光部と、
前記本体に対して照射方向が固定された第２の発光部と、
前記第１の発光部の照射方向に応じて、前記第１の発光部と前記第２の発光部のいずれか一方が、前記焦点検出手段で焦点検出を行うときに補助光を照射させる発光部となるように制御する制御手段と、を有することを特徴とする撮像システム。
【請求項２０】
焦点検出手段と、本体に対して照射方向が変更可能な第１の発光部と、前記本体に対して照射方向が固定された第２の発光部と、を有する撮像システムの焦点検出方法であって、
前記第１の発光部の照射方向に関する情報を取得する取得ステップと、
前記第１の発光部の照射方向に応じて、前記第１の発光部と前記第２の発光部のいずれか一方が、前記焦点検出手段で焦点検出を行うときに補助光を照射させる発光部となるように制御する制御ステップと、
前記第１の発光部と前記第２の発光部のいずれか一方から前記補助光を照射させて焦点検出を行う焦点検出ステップと、を有することを特徴とする焦点検出方法。